(57)【要約】【課題】製造工程の複雑化を避け、安価に製造することができるピン端子を提供することを目的とする。【解決手段】ピン端子１は、相手側の端子と接続される丸棒状の端子接続部１０と、端子接続部１０とは別体の部品であって、端子接続部１０に取り付けられる電線接続部２０とを備え、電線接続部２０が、円柱状の外形を有し、電線と接続されるバレル部２１を備えており、バレル部２１と端子接続部１０とが、互いに中心軸の位置がずれて配置されている。このような構成によれば、電線接続部２０と端子接続部１０とが別部材となっており、それぞれを比較的単純な形状とすることができる。このため、互いに中心軸の位置がずれていても、製造工程の複雑化を避け、安価に製造することができる。【選択図】図６
2018181755.tif 000002
【特許請求の範囲】
【請求項１】
相手側の端子と接続される丸棒状の端子接続部と、
前記端子接続部とは別体の部品であって、前記端子接続部に取り付けられる電線接続部とを備えるピン端子であって、
前記電線接続部が、円柱状の外形を有し、電線と接続されるバレル部を備えており、
前記バレル部と前記端子接続部とが、互いに中心軸の位置がずれて配置されている、ピン端子。
【請求項２】
前記端子接続部が、一端部に雄ねじ部を備えており、前記電線接続部が、前記雄ねじ部がねじ込まれるねじ孔を有している、請求項１に記載のピン端子。
【発明の詳細な説明】
【技術分野】
【０００１】
本明細書によって開示される技術は、ピン端子に関する。
【背景技術】
【０００２】
金属製の丸棒を素材とし、鍛造、切削等の工程を経て全体として丸棒状に形成されたピン端子が知られている。このようなピン端子は、電線の端末において露出された芯線に接続されるクローズドバレル型の電線接続部と、この電線接続部から連なる丸ピン状の端子接続部とを備えている。
【先行技術文献】
【特許文献】
【０００３】
【特許文献１】特開２０１６−６２６９９号公報
【発明の概要】
【発明が解決しようとする課題】
【０００４】
上記のようなピン端子は、電線接続部と端子接続部とで中心軸の位置がずれている場合には、製造工程が複雑化し、コストが増大するという問題がある。
【課題を解決するための手段】
【０００５】
本明細書によって開示されるピン端子は、相手側の端子と接続される丸棒状の端子接続部と、前記端子接続部とは別体の部品であって、前記端子接続部に取り付けられる電線接続部とを備えるピン端子であって、前記電線接続部が、円柱状の外形を有し、電線と接続されるバレル部を備えており、前記バレル部と前記端子接続部とが、互いに中心軸の位置がずれて配置されている。
【０００６】
上記の構成によれば、電線接続部と端子接続部とを別部材としたから、それぞれを比較的単純な形状とすることができる。このため、製造工程の複雑化を避け、安価に製造することができる。
【０００７】
上記の構成において、前記端子接続部が、一端部に雄ねじ部を備えており、前記電線接続部が、前記雄ねじ部がねじ込まれるねじ孔を有していてもよい。
このような構成によれば、雄ねじ部をねじ孔にねじ込むことにより、端子接続部の電線接続部に対する取り付け作業を容易に行うことができる。
【発明の効果】
【０００８】
本明細書によって開示されるピン端子によれば、製造工程の複雑化を避け、安価に製造することができる。
【図面の簡単な説明】
【０００９】
【図１】実施形態のピン端子の斜視図
【図２】実施形態のピン端子の平面図
【図３】実施形態のピン端子の正面図
【図４】実施形態のピン端子の側面図
【図５】実施形態のピン端子の底面図
【図６】実施形態のピン端子の分解斜視図
【図７】図２のＡ−Ａ線断面図
【図８】実施形態の端子接続部の平面図
【図９】図８のＢ−Ｂ線断面図
【図１０】実施形態の電線接続部の平面図
【図１１】図１０のＣ−Ｃ線断面図
【発明を実施するための形態】
【００１０】
実施形態を、図１〜図１１を参照しつつ説明する。本実施形態のピン端子１は、図１および図６に示すように、雄ねじ部１４を備える端子接続部１０と、この端子接続部１０とは別体の部品であって、雄ねじ部１４がねじ込まれるねじ孔２４Ｂを有する電線接続部２０とを備えている。
【００１１】
端子接続部１０は、金属製であって、図６および図９に示すように、全体として丸棒状をなし、丸ピン部１１と、丸ピン部１１から連なる拡径部１３と、拡径部１３から連なる雄ねじ部１４とを備えている。丸ピン部１１は、相手側の雌端子と接続される丸棒状の部分であって、先端に、感電防止用のキャップを取り付けるためのキャップ孔１２を有している。拡径部１３は、丸ピン部１１の一端（キャップ孔１２がある側とは逆側の端）から連なり、丸ピン部１１よりも一回り径の大きい丸棒状の部分である。雄ねじ部１４は、拡径部１３から丸ピン部１１とは反対側に延び、外周面にねじ山を有する丸棒状の部分であって、拡径部１３および丸ピン部１１よりも小さな径を有している。丸ピン部１１と、拡径部１３と、雄ねじ部１４とは、すべて同軸に配置されている。このような構成の端子接続部１０は、例えば、丸棒状の基材を鍛造および転造によって加工することにより製造することができる。
【００１２】
電線接続部２０は、金属製であって、図６および図１１に示すように、バレル部２１と、このバレル部２１から突出する突部２３とを備えている。バレル部２１は、端子接続部１０よりも径の大きな円柱状であって、両端に、互いに平行な２つの円形の端面（図１１において下側の面を下面２１Ａ、上側の面を上面２１Ｂとする）を有しており、このうち下面２１Ａに開口する電線挿入孔２２を有するクローズドバレルタイプのバレルである。図示しない電線の端末において絶縁被覆から露出された芯線を電線挿入孔２２の内部に挿入し、バレル部２１を圧縮変形させて芯線に密着させることにより、電線接続部２０が電線に接続される。バレル部２１の直径は、端子接続部１０において最も太い部分である拡径部１３の直径の２倍以上となっており、電線接続部２０と端子接続部１０との太さは大きく異なっている。
【００１３】
突部２３は、バレル部２１の上面２１Ｂから突出する、バレル部２１よりも径の小さな円柱状の突起であって、バレル部２１と同軸に配置されている。
【００１４】
電線接続部２０は、端子接続部１０の拡径部１３の一部と雄ねじ部１４とを受け入れるピン受入孔２４を有している。ピン受入孔２４は、図６および図１１に示すように、拡径部１３の一部を受け入れる拡径部受入孔２４Ａと、雄ねじ部１４を受け入れるねじ孔２４Ｂとで構成されている。拡径部受入孔２４Ａは、バレル部２１の上面２１Ｂを基準として凹む部分と、突部２３の一部を切欠くようにして配置された切り欠き部分とが連なったような形状の凹みであって、図１１に示すように、上面２１Ｂと平行な孔底面２５と、この孔底面２５の外周面から上面２１Ｂおよび突部２３の延出端まで延びる孔側面２６とで定義される凹みである。ねじ孔２４Ｂは、図１１に示すように、孔底面２５に開口し、内周面にねじ溝が設けられた孔である。拡径部受入孔２４Ａとねじ孔２４Ｂとは、バレル部２１の中心軸Ａ２に対して、ずれて配置されている。
【００１５】
このような形状の電線接続部２０は、例えば、円柱状の部材を鍛造および切削によって加工することにより製造することができる。
【００１６】
端子接続部１０の雄ねじ部１４を電線接続部２０のねじ孔２４Ｂにねじ込むことで、端子接続部１０が電線接続部２０に取り付けられる。端子接続部１０と電線接続部２０とが接続された状態では、図７に示すように、拡径部１３において雄ねじ部１４に隣接する一部分が、拡径部受入孔２４Ａの内部に収容され、拡径部１３の残りの部分と丸ピン部１１とが、上面２１Ｂから垂直に突出した状態となる。端子接続部１０の中心軸Ａ１とバレル部２１の中心軸Ａ２の位置は、図１に示すように、互いにずれている。
【００１７】
以上のように本実施形態によれば、ピン端子１は、相手側の端子と接続される丸棒状の端子接続部１０と、端子接続部１０とは別体の部品であって、端子接続部１０に取り付けられる電線接続部２０とを備え、電線接続部２０が、円柱状の外形を有し、電線と接続されるバレル部２１を備えており、バレル部２１と端子接続部１０とが、互いに中心軸Ａ１、Ａ２の位置がずれて配置されている。
【００１８】
上記の構成によれば、電線接続部２０と端子接続部１０とを別部材としたから、それぞれを比較的単純な形状とすることができる。このため、互いに中心軸Ａ１、Ａ２の位置がずれていても、製造工程の複雑化を避け、安価に製造することができる。
【００１９】
また、端子接続部１０が、一端部に雄ねじ部１４を備えており、電線接続部２０が、雄ねじ部１４がねじ込まれるねじ孔２４Ｂを有している。このような構成によれば、雄ねじ部１４をねじ孔２４Ｂにねじ込むことにより、端子接続部１０と電線接続部２０とを容易に接続することができる。
【００２０】
＜他の実施形態＞
本明細書によって開示される技術は上記記述及び図面によって説明した実施形態に限定されるものではなく、例えば次のような種々の態様も含まれる。
（１）上記実施形態では、端子接続部１０が雄ねじ部１４を備えており、電線接続部２０がねじ孔２４Ｂを有していたが、端子接続部と電線接続部との接続構造は上記実施形態の限りではなく、例えば、端子接続部が電線接続部に対して超音波溶接により接合されていても構わない。
（２）端子接続部と電線接続部とは、同種の金属により構成されていてもよく、別種の金属により構成されていても構わない。
【符号の説明】
【００２１】
１…ピン端子
１０…端子接続部
１４…雄ねじ部
２０…電線接続部
２１…バレル部
２４Ｂ…ねじ孔
Ａ１…中心軸
Ａ２…中心軸
【図１】
2018181755.tif 000003
【図２】
2018181755.tif 000004
【図３】
2018181755.tif 000005
【図４】
2018181755.tif 000006
【図５】
2018181755.tif 000007
【図６】
2018181755.tif 000008
【図７】
2018181755.tif 000009
【図８】
2018181755.tif 000010
【図９】
2018181755.tif 000011
【図１０】
2018181755.tif 000012
【図１１】
2018181755.tif 000013